(57)【要約】【課題】ベルトを連結する際に、時間をかけること無しに、ベルトの歯部を正確に連結部の格子状の孔に嵌合するベルト連結治具を提供する。【解決手段】形状の異なる突部を背面と表面にそれぞれ有するベルトを連結する治具において、前記ベルトの少なくとも一方の面の突部に対応する孔部を設けたベルト連結治具１１において、他方の面にベルトストッパー３を設けたベルト用連結治具１。【選択図】図１
2007120508.tif 000002
【特許請求の範囲】
【請求項１】
形状の異なる突部を背面と表面にそれぞれ有するベルトを連結する治具において、前記ベルトの少なくとも一方の面の突部に対応する孔部を設けたベルト連結治具において、他方の面にベルトストッパーを設けたことを特徴とするベルト連結治具。
【請求項２】
一方の面にはリブを、他方の面には歯部を設けたリブ付歯付ベルトの少なくとも２本を、一方のベルトのリブ面と、他方のベルトの歯部面とが同一面となる様に、少なくとも２本のベルトを連結する連結治具において、前記連結治具の少なくともリブ面側にベルトストッパーを設けたことを特徴とするベルト連結治具。
【請求項３】
一方の面にはリブを、他方の面には歯部を設けたリブ付歯付ベルトの少なくとも２本を、一方のベルトのリブ面と、他方のベルトの歯部面とが同一面となるように少なくとも２本のベルトを連結する連結治具であって、該連結治具が前記歯部側では歯ピッチと同一のピッチを有する格子状の歯部嵌合部を有し、リブ側では、少なくとも端部のリブを巻き込む形にしてリブが変形しないように嵌合したリブ嵌合部を有した連結治具において、前記連結治具の少なくともリブ面側にベルトストッパーを設けたことを特徴とするベルト連結治具。
【発明の詳細な説明】
【技術分野】
【０００１】
本発明はプリンターキャリッジ駆動用ベルトにおいて、表裏で形状の異なる突部をそれぞれ有するベルトを連結する連結治具において、突部に対応して連結治具に設けた孔に該突部を正確に嵌合することのできるベルト連結治具に関する。
【背景技術】
【０００２】
従来は、プリンターキャリッジ駆動用のベルトとしては、ハーフティースベルトというベルト１周内のうち略半分は歯が存在しなくフラットとしていたベルトを用いていた。ハーフティースベルトは、主にプリンターのキャリッジ駆動用として用いられ、より印字精度を上げる為に、一方のプーリをフラットにすることによってプーリ歯とベルト歯のかみ合いによって生じる振動を防いでいた。
【０００３】
そうすることによって、ベルト歯とプーリ歯溝とのかみ合いによる振動は低減されるが、略半分が平ベルトである為、フラットプーリにおいてベルトがスラストし、フランジに当たり、ベルト端面の摩耗を起こしていた。
【０００４】
そこで、図２に示すように、平ベルト部分をリブドベルトとし、リブ形状によってプーリ上でのベルト幅方向へのベルトの移動を無くすことでベルトスラストを無くすことを考えた。
特許文献１に記載の一方の面を歯付ベルトとし、他方の面をリブドベルトとするリブ付歯付ベルト１０を使用し、該リブ付き歯付ベルトを短冊状とし、少なくとも２箇所でベルト同士を連結し、該連結した隣同士のベルト面は、リブド面と歯付ベルト面が隣り合うように図３に示す連結治具にて連結した。
【０００５】
【特許文献１】実開平１−１７３５４４号
【０００６】
連結治具１１としては、歯付ベルト部１３にベルト歯に対応する孔１７を前記連結治具１１の一方の面に設け、他方の面には、少なくとも端部のリブ９を巻き込む形にしてリブ９が変形しないように嵌合したリブ嵌合部１９を有した連結治具１１を使用していた。
【０００７】
しかし、この連結治具１１を使用する場合に、歯付ベルト部１３に嵌合させる格子状の孔１７にベルト歯を１歯ずつ嵌めていく場合に、１歯ずつ嵌っていることを確認しながら嵌合していたために、長時間の作業時間を要していた。
【発明の開示】
【発明が解決しようとする課題】
【０００８】
本発明はこのような問題点を改善するものであり、ベルトを連結する際に、時間をかけること無しに、ベルトの歯部を正確に連結部の格子状の孔に嵌合するベルト連結治具を提供することを目的としている。
【課題を解決するための手段】
【０００９】
即ち、本願請求項１記載の発明は、形状の異なる突部を背面と表面にそれぞれ有するベルトを連結する治具において、前記ベルトの少なくとも一方の面の突部に対応する孔部を設けたベルト連結治具において、他方の面にベルトストッパーを設けたベルト用連結治具にある。
【００１０】
請求項２に記載の発明は、一方の面にはリブを、他方の面には歯部を設けたリブ付歯付ベルトの少なくとも２本を、一方のベルトのリブ面と、他方のベルトの歯部面とが同一面となる様に、少なくとも２本のベルトを連結する連結治具において、前記連結治具の少なくともリブ面側にベルトストッパーを設けたベルト連結治具にある。
【００１１】
請求項３に記載の発明は、一方の面にはリブを、他方の面には歯部を設けたリブ付歯付ベルトの少なくとも２本を、一方のベルトのリブ面と、他方のベルトの歯部面とが同一面となるように少なくとも２本のベルトを連結する連結治具であって、該連結治具が前記歯部側では歯ピッチと同一のピッチを有する格子状の歯部嵌合部を有し、リブ側では、少なくとも端部のリブを巻き込む形にしてリブが変形しないように嵌合したリブ嵌合部を有した連結治具において、前記連結治具の少なくともリブ面側にベルトストッパーを設けたベルト連結治具にある。
【発明の効果】
【００１２】
本願請求項１記載の発明では、形状の異なる突部を背面と表面にそれぞれ有するベルトを連結する治具において、前記ベルトの少なくとも一方の面の突部に対応する孔部を設けたベルト連結治具において、他方の面にベルトストッパーを設けたベルト連結治具であることから、ベルト長さを長くしたり調節したりすることができ、又、連結治具に素早くベルトを挿入しても、ベルトストッパーにてベルトが固定され、所定の位置にベルトを嵌合することができる効果がある。
【００１３】
本願請求項２に記載の発明では、一方の面にはリブを、他方の面には歯部を設けたリブ付歯付ベルトの少なくとも２本を、一方のベルトのリブ面と、他方のベルトの歯部面とが同一面となる様に、少なくとも２本のベルトを連結する連結治具において、前記連結治具の少なくともリブ面側にベルトストッパーを設けたベルト連結治具であることから、確実かつ早くベルト歯をベルト連結治具の格子状孔部に嵌合させることができるという効果がある。
【００１４】
本願請求項３に記載の発明では、一方の面にはリブを、他方の面には歯部を設けたリブ付歯付ベルトの少なくとも２本を、一方のベルトのリブ面と、他方のベルトの歯部面とが同一面となるように少なくとも２本のベルトを連結する連結治具であって、該連結治具が前記歯部側では歯ピッチと同一のピッチを有する格子状の歯部嵌合部を有し、リブ側では、少なくとも端部のリブを巻き込む形にしてリブが変形しないように嵌合したリブ嵌合部を有した連結治具において、前記連結治具の少なくともリブ面側にベルトストッパーを設けたベルト連結治具であることから、請求項２の効果に加えてリブが変形しないように連結治具を嵌合することができる。
【発明を実施するための最良の形態】
【００１５】
図１は本発明のベルト連結治具１を用いてベルトを嵌合した状態の一実施形態を示した図である。図１においてベルト連結治具１は、ベルト長手方向に沿ったＶリブ９の少なくとも両端部のＶリブを覆った状態となっている。ここで、図１においては、本発明が適用できるベルトの一実施形態を示したものであり、Ｖリブ９の代わりにトランケート状の角リブにも適用できる。ここで，ベルトを嵌合する場合に、前記Ｖリブを嵌合する場合には、連結治具１も突出するようにした突出部５を設けて、ベルト２のベルト平坦部では、ベルト平坦部に接するように連結治具１を突出部５から折り曲げ、平坦部７を設けることで、Ｖリブ９を覆うようにしてカシメている。そうすることによって少しでもＶリブ９が変形することを防いでいる。
【００１６】
又、ベルトストッパー３がベルト連結治具１の端部に設けられていて、ベルトを挿入する場合の位置決めを行い、そうすることによって、ベルト歯が格子状孔に確実に嵌合するようにしている。
【００１７】
又、このベルト連結具１の一実施形態としては、Ｖリブ付歯付ベルト１０に使用され、Ｖリブ付歯付ベルト１０は、ゴム又は合成樹脂製のゴム状弾性体をもって構成されたベルト本体のベルトランドラインの下面には、一定のピッチをもって同じくゴム弾性体をもって構成される歯部４が、その間に溝部６を配して形成されている。又、ベルト本体のベルトピッチライン部には、ガラス繊維、アラミド繊維などの低伸度高強力のロープ抗張体８が埋設されている。そしてこの歯部４及び溝部６をもって構成されるベルト内周面は、必要に応じてカバー帆布をもって全面被覆されている。またベルト本体の背面側にはベルト長手方向に延びる同じくゴム状弾性体をもって構成される断面三角形の複数のＶリブ９が隆起している。そして各Ｖリブ９の頂部形状は円弧状の曲面或いは平面状の台形面を呈し、またこのリブ部にはベルト幅方向への配向性をもって短繊維を埋設しても良い。
【００１８】
そして、該ベルト連結治具１を用いたＶリブ付歯付ベルト１０の連結方法であるが、このようなＶリブ付歯付ベルト１０を短冊状にして、該ベルト連結治具１にて、少なくとも２箇所を連結する。まず、該Ｖリブ付歯付ベルト１０をベルト連結治具１に挿入する。このとき、歯部４側は、歯がそれぞれ確実にベルト連結治具１の孔に嵌るように挿入していく。そして、ベルトストッパー３によって押し込みが制限され、挿入を終える。次に、Ｖリブ９側で、両端部に位置する突出部５を折り曲げカシメる。このとき、突出部５が折り曲げた状態で突出していることから、Ｖリブ９に余分な力がかからず、Ｖリブ９の変形を最小限にとどめながらカシメることができる。
又、このベルトストッパー３を設けることで、ベルト間を連結するのに要した工数が従来１５秒かかかっていたのが、８秒に減り、又、従来多発していたベルト歯がベルト連結治具１の全ての格子状孔１７に嵌合しないような不良も皆無となった。
【図面の簡単な説明】
【００１９】
【図１】本発明のベルト連結治具を用いてベルトを嵌合した状態の一実施形態を示した図である。
【図２】本発明が適用される一実施例であるＶリブ付歯付ベルトを示した図である。
【図３】従来のベルト連結治具を示した図である。
【符号の説明】
【００２０】
１    ベルト連結治具
２    ベルト
３    ベルトストッパー
４    歯部
５    突出部
６    溝部
７    平坦部
８    ロープ抗張体
９    Ｖリブ
１０  リブ付歯付ベルト
【図１】
2007120508.tif 000003
【図２】
2007120508.tif 000004
【図３】
2007120508.tif 000005